(57)【特許請求の範囲】
【請求項１】
絶縁ケースに、２極分の主回路接触子，開閉機構，過電流引外し装置，過電流引外し装置と開閉機構とを連繋する引外しレバー，および操作ハンドルと、外部信号により各極の接触子を開極させる引外し用電磁石を内装した２極回路しゃ断器において、
前記絶縁ケースに左右および中央の３室を画成した上で、各極の構成部品を左右の室に振り分け、中央の室には引外し用電磁石を配置するとともに、左右および中央室の間にまたがってその両端を各極の引外しレバーに連結したクロスバーを配置し、該クロスバーの中央に前記引外し用電磁石を連繋して２極を同時に引外し動作させるように構成したことを特徴とする２極回路しゃ断器。
【請求項２】
請求項１記載の２極回路しゃ断器において、クロスバーの中央に引外し用電磁石のアーマチュアに連繋させた枠形になる揺動式のトリップガイドを懸架し、かつ該トリップガイドの回動支点を絶縁ケースの左右室と中央室の間の仕切壁に軸支して両持ち支持したことを特徴とする２極回路しゃ断器。
【発明の詳細な説明】
【０００１】
【発明の属する技術分野】
本発明は、外部からの信号によって各極の接触子を開極させる引外し用電磁石を装備した２極回路しゃ断器に関する。
【０００２】
【従来の技術】
低圧回路の過負荷保護に用いる回路しゃ断器として、過負荷引外し装置のほかに、電圧引外し装置として外部から与えた信号でトリップ動作させるように引外し用電磁石を内蔵した回路しゃ断器が実開昭６４−１９２４４号公報で公知である。
【０００３】
また、２極回路しゃ断器として、２台の１極回路しゃ断器を左右に組合せた上で、各極の開閉操作ハンドルを相互連結した構成のもの知られており、さらに各極ごとに備えた過負荷引外し装置の間を伝動軸で相互連結し、一方の極の過負荷引外し装置が先行動作した際に、その動作を前記伝動軸を介して他方の極に伝えて２極をトリップ動作させるようにした構成のものが特開平１０−６４４０２号公報で公知である。
【０００４】
このような２極回路しゃ断器に対し、外部信号で各極をトリップ動作させる電圧引外し装置を付設する場合に、従来の構成では、２極のうちの一方の極の引外し機構に実開昭６４−１９２４４号公報と同様な引外し用電磁石のアーマチュアを連繋し、各極の間は特開平１０−６４４０２号公報と同様に伝動軸を介して引外し動作信号を伝えるようにして構成している。
【０００５】
【発明が解決しようとする課題】
ところで、２極回路しゃ断器に組合せた電圧引外し装置として、前記のように各極の引外し機構の間を伝動軸で連結した上で、引外し用電磁石を一方極の引外し機構に連繋させた従来構成では動作面で次記のような問題点がある。
すなわち、前記構成では、外部信号を引外し用電磁石に与えて２極をトリップ動作させる際に、最初に引外し用電磁石に連繋した一方の極の接触子を開極させ、そのトリップ動作を伝動軸を介して他方の極に伝えてその接触子を開極させるようにしており、このために各極の間で接触子の開離動作に時間的なずれが生じる。この結果、外部信号の入力から２極の接触子が開極するまでのしゃ断器時間が長くなる。
【０００６】
本発明は上記の点に鑑みなされたものであり、その目的は引外し用電磁石の駆動力を同時に各極の引外し機構に伝えるようにして、外部信号の入力から２極の接触子が開極するまでのしゃ断時間の短縮化が図れるように改良した２極回路しゃ断器を提供することにある。
【０００７】
【課題を解決するための手段】
上記目的を達成するために、本発明の構成によれば、絶縁ケースに、２極分の主回路接触子，開閉機構，過電流引外し装置，過電流引外し装置と開閉機構とを連繋する引外しレバー，および操作ハンドルと、外部信号により前記開閉機構を介して各極の接触子を開極させる引外し用電磁石を内装した２極回路しゃ断器において、
前記絶縁ケースに左右および中央の３室を画成した上で、各極の構成部品を左右の室に振り分け、中央の室には引外し用電磁石を配置するとともに、左右および中央室の間にまたがってその両端を各極の引外しレバーに連結したクロスバーを配置し、該クロスバーの中央に前記引外し用電磁石を連繋して２極を同時に引外し動作させるように構成する（請求項１）。
【０００８】
この構成によれば、引外し用電磁石の動作がクロスバーを介して同時に各極の引外し機構に伝達されるので、各極の接触子は時間差なしに同時に開極するようになり、これにより外部信号の入力から２極の接触子が開極するまでのしゃ断時間を従来構成と比べて大幅に短縮できる。
また、本発明によれば、前記構成の具体的な態様として、クロスバーの中央に引外し用電磁石のアーマチュアに連繋させた枠形になる揺動式のトリップガイドを懸架し、かつ該トリップガイドの回動支点を絶縁ケースの左右室と中央室の間の仕切隔壁に軸支して両持ち支持するようにしている（請求項２）。
【０００９】
この構成により、クロスバーはその中央部がトリップガイドを介して絶縁ケースの中間隔壁に２点支持されるので、クロスバーがふらついたりすることなくしゃ断器の引外し動作が安定する。
【００１０】
【発明の実施の形態】
以下、本発明の実施の形態を図１〜図４に示す実施例に基づいて説明する。
各図において、１は絶縁ケースであり、該ケース１は左右二分割構造になる中間ケース１ａと、該中間ケース１ａを挟んで左右両側に組合せたカバー１ｂ，１ｃとからなり、中間ケース１ａとカバー１ｂおよび中間ケース１ａとカバー１ｃとの間にそれぞれ画成された左右の室には、図２〜図４で示すような回路しゃ断器を構成する１極分の部品が左右に振り分けて組付けられ、中間ケース１ａで画成された中央の室には後記のように引外し用電磁石が配置されている。
【００１１】
すなわち、図２〜図４において、２は電源側端子、３は負荷側端子、４は固定接触子、５は可動接触子、６は可動接触子５に連繋した開閉機構、７は開閉操作ハンドル、８は電磁石コイル８ａとアーマチュア８ｂの組立体からなる過電流引外し装置、９は前記アーマチュア８ａと開閉機構６との間を連繋する引外しレバー、９ａはその回動支軸、１０はクロスバーであり、該クロスバー１０は詳細を後記するように軸の両端が各極の引外しレバー９に連結されている。
【００１２】
なお、かかる構成になるしゃ断器の開閉動作は周知であり、ここではその説明を省略するが、図２はしゃ断器ＯＦＦの状態、図３は操作ハンドル７を右側に倒したしゃ断器ＯＮの状態、図４は過電流引外し装置８の動作で可動接触子５が開極したトリップ状態を表している。  また、図１(a),(b) に戻り、二分割構造になる中間ケース１ａの左右隔壁の間に画成された絶縁ケース１の中央室には引外し用電磁石１１が収設されている。この引外し用電磁石１１はＥ字形のヨーク１１ａと、ボビン１１ｂに巻装したコイル１１ｃと、アーマチュア１１ｄと、アーマチュア１１ｄの背面に取付けたホルダ１１ｅからなり、該ホルダ１１ｅの一端が支軸１１ｅ-1を介して前記ボビン１１ｂに揺動自在に支持されている。さらに、ホルダ１１ｅの背面と中間ケース１ａとの間には復帰ばね（引っ張りばね）１３を張架してアーマチュア１１ｄをヨーク１１ａの磁極面から引き離す方向に付勢しており、かつボビン１１ｂから突き出したストッパ片１１ｆでホルダ１１ｅの揺動範囲を規制するようにしている。なお、１１ｇはコイル１１ｃから外部に引き出したリード線である。
【００１３】
また、中間ケース１ａには前記ホルダ１１ｅの先端部を取り囲むようにして枠形になる揺動式のトリップガイド１２を備えている。このトリップガイド１２は、図３で述べたクロスバー１０の案内支持部材となるものであり、図１(a) で示すようにクロスバー１０の中間位置に懸架した上で、左右一対の支軸１２ａを介してトリップガイドの揺動支点が中間ケース１ａの隔壁に両持ち支持されている。なお、支軸１２ａは図３で述べた引外しレバー９の回動支軸９ａと一直線上に並ぶ位置に定めている。そして、この支持状態で前記した引外し用電磁石１１のホルダ１１ｅの先端がクロスバー１０に対峙している。
【００１４】
また、絶縁ケース１から突き出した各極の操作ハンドル７は、連結棒７ａを介して相互連結されており、このハンドル操作で２極を同時に開閉するようにしている。
次に前記構成の動作について説明する。常時は引外し用電磁石１１が非励磁であり、この状態ではアーマチュア１１ｄが復帰ばね１３のばね付勢を受けて図示のように後退してクロスバー１０から離間している。ここで、リード線１１ｇを通じて外部から引外し信号を入力してコイル１１ｃに通電すると、ヨーク１１ａとアーマチュア１１ｄとの間に磁気吸引力が発生し、アーマチュア１１ｄはホルダ１１ｅとともに支軸１１ｅ-1を支点として反時計方向に回動し、この過程でホルダ１１ｅの先端がクロスバー１０を押す。一方、クロスバー１０は、前述のように軸の両端が絶縁ケース１の左右室に組み込んだ各極の引外しレバー９に連結されている。したがって、引外し用電磁石１１の吸引動作に連動してクロスバー１０を押し込み駆動すると、２極回路しゃ断器の各極はＯＮ状態から同時にトリップ動作してその可動接触子５（図４参照）が開極する。
【００１５】
また、引外し用電磁石１０の電源は、２極回路しゃ断器の負荷側回路からとるようにしているので、前記のトリップ動作と同時に電磁石１１の励磁が絶たれる。これにより、アーマチュア１１ｄは復帰ばね１３のばね力でヨーク１１ａから離脱してホルダ１１ｅが時計方向に回動して図１の図示状態に自動復帰する。
なお、発明者等が行った検証試験の結果によれば、従来方式のように電磁石の動作で１方の極を引外し、その極の引外し動作を伝動軸を介して他方の極に伝えて引外すようにしたものと比べて、外部信号の入力から２極の接触子が開極するまでのしゃ断時間を約３０％短縮できることが確認されている。
【００１６】
【発明の効果】
以上述べたように、本発明によれば、絶縁ケースに、２極分の主回路接触子，開閉機構，過電流引外し装置，過電流引外し装置と開閉機構とを連繋する引外しレバー，および操作ハンドルと、外部信号により各極の接触子を開極させる引外し用電磁石を内装した２極回路しゃ断器において、
前記絶縁ケースに左右および中央の３室を画成した上で、各極の構成部品を左右の室に振り分け、中央の室には引外し用電磁石を配置するとともに、左右および中央室の間にまたがってその両端を各極の引外しレバーに連結したクロスバーを配置し、該クロスバーの中央に引外し用電磁石を連繋して２極を同時に引外し動作させるように構成したことにより、従来方式のように電磁石の動作で１方の極を引外し、その極の引外し動作を伝動軸を介して他方の極に伝えて引外すようにしたものと比べて、外部信号の入力から２極の接触子が開極するまでのしゃ断時間を短縮でき、２極回路しゃ断器としての性能向上化が図れる。
【００１７】
また、前記構成において、クロスバーの中央に引外し用電磁石のアーマチュアに連繋させた枠形になる揺動式のトリップガイドを懸架し、かつ該トリップガイドの回動支点を絶縁ケースの左右室と中央室の間の仕切壁に軸支して両持ち支持したことにより、引外し動作時にクロスバーがふらついたりすることなくなり、これにより安定しり動作を確保できて信頼性が向上する。
【図面の簡単な説明】
【図１】本発明の実施例による２極回路しゃ断器の要部構成図であり、(a) は絶縁ケースの一部を切欠した正面図、(b) は(a) 図における矢視Ｘ−Ｘに沿った内部機構を表す側面図
【図２】図１の２極回路しゃ断器における各極のＯＮ状態を表す図
【図３】図１の２極回路しゃ断器における各極のＯＦＦ状態を表す図
【図４】図１の２極回路しゃ断器における各極のトリップ状態を表す図
【符号の説明】
１    絶縁ケース
４    固定接触子
５    可動接触子
６    開閉機構
７    操作ハンドル
８    過電流引外し装置
９    引外しレバー
１０    クロスバー
１１    引外し用電磁石
１１ａ  ヨーク
１１ｄ  アーマチュア
１１ｅ  ホルダ
１２    トリップガイド
１２ａ  支軸
【図１】
0004258990.tif 000002
【図２】
0004258990.tif 000003
【図３】
0004258990.tif 000004
【図４】
0004258990.tif 000005